(57)【要約】本開示の実施形態は、新しい無線管理測定のための方法、デバイス及びコンピュータ可読媒体を提供する。本開示の実施形態に従い、端末デバイスは、周波数内測定と測定ギャップとの間で部分的にオーバーラップしたタイムスロットを共有することができる。このようにして、周波数内測定及び周波数間測定の優先順位は、ネットワークデバイスによって制御されることができる。また、ネットワークデバイスは、端末デバイスのビヘイビア、及びこれらのビヘイビアに関連する予期された測定パフォーマンスを認識することができる。【選択図】図５
2021515440.tif 000002
【特許請求の範囲】
【請求項１】
通信用の端末デバイスに実装される方法であって、
ネットワークデバイスから、前記端末デバイスの周波数内測定のために第一セットのタイムスロットを少なくとも示す第一コンフィグレーションを受信することと、
前記ネットワークデバイスから、前記端末デバイスの測定ギャップのために第二セットのタイムスロットを少なくとも示す第二コンフィグレーションを受信することと、
前記第一セットのタイムスロット、及び前記第二セットのタイムスロットが部分的にオーバーラップしていることに応答して、前記周波数内測定と前記測定ギャップとの間でオーバーラップしたタイムスロットを共有するためにリソース制御情報に基づき前記端末デバイスの前記周波数内測定のために前記第一セットのタイムスロットから１つ以上のスロットを決定することと、
を備える、前記方法。
【請求項２】
前記第一コンフィグレーションは、前記周波数内測定のために測定ウィンドウを示し、前記情報は、
前記測定ウィンドウの持続時間と、
前記測定ウィンドウの周期性と、
前記端末デバイスのタイムスロット中の前記測定ウィンドウの開始位置と、
のうちの少なくとも１つを含む、
請求項１に記載の方法。
【請求項３】
前記第二コンフィグレーションは、
前記測定ギャップの持続時間と、
前記測定ギャップの周期性と、
前記端末デバイスのタイムスロット中の前記測定ギャップの開始位置と、
のうちの少なくとも１つを示す、請求項１に記載の方法。
【請求項４】
前記リソース制御情報は、
前記周波数内測定が実行される頻度数と、
周波数間測定が実行される頻度数と、
前記第一セットのタイムスロットと前記第二セットのタイムスロットとの間のオーバーラップ率と、
前記第一セットのタイムスロットと前記第二セットのタイムスロットとの間で前記オーバーラップしたタイムスロットを共有するための値と、
前記周波数内測定がデータスケジューリングを中断せずに実行されるかどうかについての情報と、
のうちの少なくとも１つを備える、請求項１に記載の方法。
【請求項５】
前記１つ以上のスロットを決定することは、
前記リソース制御情報に基づき前記オーバーラップしたタイムスロットを共有するためのパラメータを決定することと、
前記パラメータに基づき前記１つ以上のタイムスロットを決定することと、
を備える、請求項４に記載の方法。
【請求項６】
前記１つ以上のタイムスロットを決定することは、
前記リソース制御情報が前記オーバーラップしたタイムスロットを共有するためのパラメータがないことに応答して、前記第二セットのタイムスロットとオーバーラップしない前記１つ以上のタイムスロットを選択すること、
を備える、請求項１に記載の方法。
【請求項７】
前記第二コンフィグレーションを受信することは、
前記リソース制御情報と合わせて前記第二コンフィグレーションを受信すること、
を備える、請求項１に記載の方法。
【請求項８】
前記第一コンフィグレーション、前記第二コンフィグレーション及び前記リソース制御情報のうちの少なくとも１つは、無線リソース制御（ＲＲＣ）シグナリングを介して受信される、請求項１に記載の方法。
【請求項９】
通信用のネットワークデバイスに実装される方法であって、
端末デバイスに、前記端末デバイスの周波数内測定のために第一セットのタイムスロットを少なくとも示す第一コンフィグレーションを送信することと、
前記端末デバイスに、前記端末デバイスの測定ギャップのために第二セットのタイムスロットを少なくとも示す第二コンフィグレーションを送信することと、
前記端末デバイスに、前記周波数内測定と前記測定ギャップとの間でオーバーラップしたタイムスロットを共有するためにリソース制御情報を送信することと、
を備える、前記方法。
【請求項１０】
前記第一コンフィグレーションは、前記周波数内測定のために測定ウィンドウを示し、
前記情報は、
前記測定ウィンドウの持続時間と、
前記測定ウィンドウの周期性と、
前記端末デバイスのタイムスロット中の前記測定ウィンドウの開始位置と、
のうちの少なくとも１つを含む、
請求項９に記載の方法。
【請求項１１】
前記第二コンフィグレーションは、
前記測定ギャップの持続時間と、
前記測定ギャップの周期性と、
前記端末デバイスのタイムスロット中の前記測定ギャップの開始位置と、
のうちの少なくとも１つを示す、請求項９に記載の方法。
【請求項１２】
前記リソース制御情報は、
前記周波数内測定が実行される頻度数と、
周波数間測定が実行される頻度数と、
前記第一セットのタイムスロットと前記第二セットのタイムスロットとの間のオーバーラップ率と、
前記第一セットのタイムスロットと前記第二セットのタイムスロットとの間で前記オーバーラップしたタイムスロットを共有するための値と、
前記周波数内測定がデータスケジューリングを中断せずに実行されるかどうかについての情報と、
のうちの少なくとも１つを備える、請求項９に記載の方法。
【請求項１３】
前記リソース制御情報は、前記オーバーラップしたタイムスロットを共有するためのパラメータを含む、請求項１２に記載の方法。
【請求項１４】
前記第二コンフィグレーションを送信することは、
前記リソース制御情報と合わせて前記第二コンフィグレーションを送信すること、
を備える、請求項９に記載の方法。
【請求項１５】
前記第一コンフィグレーション、前記第二コンフィグレーション及び前記リソース制御情報のうちの少なくとも１つは、無線リソース制御（ＲＲＣ）シグナリングを介して送信される、請求項９に記載の方法。
【請求項１６】
少なくとも１つのプロセッサと、
前記少なくとも１つのプロセッサに結合されるメモリであって、前記メモリがその中に命令を格納する、前記メモリと、
を備え、
前記命令は前記少なくとも１つのプロセッサによって実行されるときに、
ネットワークデバイスから、端末デバイスの周波数内測定のために第一セットのタイムスロットを少なくとも示す第一コンフィグレーションを受信することと、
前記ネットワークデバイスから、前記端末デバイスの測定ギャップのために第二セットのタイムスロットを少なくとも示す第二コンフィグレーションを受信することと、
前記第一セットのタイムスロット、及び前記第二セットのタイムスロットが部分的にオーバーラップしていることに応答して、前記周波数内測定と前記測定ギャップとの間でオーバーラップしたタイムスロットを共有するためにリソース制御情報に基づき前記端末デバイスの前記周波数内測定のために前記第一セットのタイムスロットから１つ以上のスロットを決定することと、
を含む動作を前記ネットワークデバイスに実行させる、
端末デバイス。
【請求項１７】
前記第一コンフィグレーションは、前記周波数内測定のために測定ウィンドウを示し、前記情報は、
前記測定ウィンドウの持続時間と、
前記測定ウィンドウの周期性と、
前記端末デバイスのタイムスロット中の前記測定ウィンドウの開始位置と、
のうちの少なくとも１つを含む、
請求項１６に記載の端末デバイス。
【請求項１８】
前記第二コンフィグレーションは、
前記測定ギャップの持続時間と、
前記測定ギャップの周期性と、
前記端末デバイスのタイムスロット中の前記測定ギャップの開始位置と、
のうちの少なくとも１つを示す、請求項１６に記載の端末デバイス。
【請求項１９】
前記リソース制御情報は、
前記周波数内測定が実行される頻度数と、
周波数間測定が実行される頻度数と、
前記第一セットのタイムスロットと前記第二セットのタイムスロットとの間のオーバーラップ率と、
前記第一セットのタイムスロットと前記第二セットのタイムスロットとの間で前記オーバーラップしたタイムスロットを共有するための値と、
前記周波数内測定がデータスケジューリングを中断せずに実行されるかどうかについての情報と、
のうちの少なくとも１つを備える、請求項１に記載の端末デバイス。
【請求項２０】
前記１つ以上のスロットを決定することは、
前記リソース制御情報に基づき前記オーバーラップしたタイムスロットを共有するためのパラメータを決定することと、
前記パラメータに基づき前記１つ以上のタイムスロットを決定することと、
を備える、請求項１９に記載の端末デバイス。
【請求項２１】
前記１つ以上のタイムスロットを決定することは、
前記リソース制御情報が前記オーバーラップしたタイムスロットを共有するためのパラメータがないことに応答して、前記第二セットのタイムスロットとオーバーラップしない前記１つ以上のタイムスロットを選択すること、
を備える、請求項１６に記載の端末デバイス。
【請求項２２】
前記第二コンフィグレーションを受信することは、
前記リソース制御情報と合わせて前記第二コンフィグレーションを受信すること、
を備える、請求項１６に記載の端末デバイス。
【請求項２３】
前記第一コンフィグレーション、前記第二コンフィグレーション及び前記リソース制御情報のうちの少なくとも１つは、無線リソース制御（ＲＲＣ）シグナリングを介して受信される、請求項１６に記載の端末デバイス。
【請求項２４】
少なくとも１つのプロセッサと、
前記少なくとも１つのプロセッサに結合されるメモリであって、前記メモリがその中に命令を格納する、前記メモリと、
を備え、
前記命令は前記少なくとも１つのプロセッサによって実行されるときに、
端末デバイスに、前記端末デバイスの周波数内測定のために第一セットのタイムスロットを少なくとも示す第一コンフィグレーションを送信することと、
前記端末デバイスに、前記端末デバイスの測定ギャップのために第二セットのタイムスロットを少なくとも示す第二コンフィグレーションを送信することと、
前記端末デバイスに、前記周波数内測定と前記測定ギャップとの間でオーバーラップしたタイムスロットを共有するためにリソース制御情報を送信することと、
を含む動作を前記端末デバイスに実行させる、
ネットワークデバイス。
【請求項２５】
前記第一コンフィグレーションは、前記周波数内測定のために測定ウィンドウを示し、
前記情報は、
前記測定ウィンドウの持続時間と、
前記測定ウィンドウの周期性と、
前記端末デバイスのタイムスロット中の前記測定ウィンドウの開始位置と、
のうちの少なくとも１つを含む、
請求項２４に記載のネットワークデバイス。
【請求項２６】
前記第二コンフィグレーションは、
前記測定ギャップの持続時間と、
前記測定ギャップの周期性と、
前記端末デバイスのタイムスロット中の前記測定ギャップの開始位置と、
のうちの少なくとも１つを示す、請求項２４に記載のネットワークデバイス。
【請求項２７】
前記パラメータは、
前記周波数内測定が実行される頻度数と、
周波数間測定が実行される頻度数と、
前記第一セットのタイムスロットと前記第二セットのタイムスロットとの間のオーバーラップ率と、
前記第一セットのタイムスロットと前記第二セットのタイムスロットとの間で前記オーバーラップしたタイムスロットを共有するための値と、
前記周波数内測定がデータスケジューリングを中断せずに実行されるかどうかについての情報と、
のうちの少なくとも１つを備える、請求項２４に記載のネットワークデバイス。
【請求項２８】
前記リソース制御情報は、前記オーバーラップしたタイムスロットを共有するためのパラメータを含む、請求項２７に記載のネットワークデバイス。
【請求項２９】
前記第二コンフィグレーションを送信することは、
前記リソース制御情報と合わせて前記第二コンフィグレーションを送信すること、
を備える、請求項２４に記載のネットワークデバイス。
【請求項３０】
前記第一コンフィグレーション、前記第二コンフィグレーション及び前記リソース制御情報のうちの少なくとも１つは、無線リソース制御（ＲＲＣ）シグナリングを介して送信される、請求項２４に記載のネットワークデバイス。
【請求項３１】
命令を格納するコンピュータ可読媒体であって、前記命令は、マシンの少なくとも１つの処理ユニットによって実行されるときに、前記マシンに請求項１〜８のいずれか１項に記載の方法を実行させる、前記コンピュータ可読媒体。
【請求項３２】
命令を格納するコンピュータ可読媒体であって、前記命令は、マシンの少なくとも１つの処理ユニットによって実行されるときに、前記マシンに請求項９〜１５のいずれか１項に記載の方法を実行させる、前記コンピュータ可読媒体。
【発明の詳細な説明】
【技術分野】
【０００１】
本開示の実施形態は、一般に、通信技術に関し、さらに具体的には、新しい無線管理（ＲＲＭ）測定のための方法、デバイス及びコンピュータ可読媒体に関する。
【背景技術】
【０００２】
ロングタームエボリューション（ＬＴＥ）通信システムまたは第５世代無線システム（５Ｇ）のような、通信システムにおいて、端末デバイスが現在のサービングセルからターゲットセルにハンドオーバーする必要がある場合に、端末デバイスは、ターゲットセルのチャネル品質を測定することがある。多くの場合、（１）ターゲットセルが現在のサービングセルと同じ周波数である状況、及び（２）ターゲットセルが現在のサービングセルとは異なる周波数である状況、という２つの状況がある。上記の２つの状況について、さらに調査が必要である。
【発明の概要】
【０００３】
一般に、本開示の実施形態は、ダウンリンク伝送の変調方法、ならびに対応するネットワークデバイス及び端末デバイスに関する。
【０００４】
第一態様では、本開示の実施形態は、通信用に端末デバイスで実装される方法を提供する。この方法は、ネットワークデバイスから、端末デバイスの周波数内測定のために第一セットのタイムスロットを少なくとも示す第一コンフィグレーションを受信することと、ネットワークデバイスから、端末デバイスの測定ギャップのために第二セットのタイムスロットを少なくとも示す第二コンフィグレーションを受信することと、第一及び第二セットのタイムスロットが部分的にオーバーラップしていることに応答して、周波数内測定と測定ギャップとの間でオーバーラップしたタイムスロットを共有するためにリソース制御情報に基づき端末デバイスの周波数内測定のために第一セットのタイムスロットから１つ以上のスロットを決定することとを備える。
【０００５】
第二態様では、本開示の実施形態は、通信用にネットワークデバイスで実装される方法を提供する。この方法は、端末デバイスに、端末デバイスの周波数内測定のために第一セットのタイムスロットを少なくとも示す第一コンフィグレーションを送信することと、端末デバイスに、端末デバイスの測定ギャップのために第二セットのタイムスロットを少なくとも示す第二コンフィグレーションを送信することと、端末デバイスに、周波数内測定と測定ギャップとの間でオーバーラップしたタイムスロットを共有するためにリソース制御情報を送信することとを備える。
【０００６】
第三態様では、本開示の実施形態は、端末デバイスを提供する。この端末デバイスは、少なくとも１つのプロセッサと、この少なくとも１つのプロセッサに結合されるメモリと、を備え、このメモリは、命令をその中に格納し、これらの命令は、少なくとも１つのプロセッサによって実行されるときに、ネットワークデバイスから、端末デバイスの周波数内測定のために第一セットのタイムスロットを少なくとも示す第一コンフィグレーションを受信することと、ネットワークデバイスから、端末デバイスの測定ギャップのために第二セットのタイムスロットを少なくとも示す第二コンフィグレーションを受信することと、第一及び第二セットのタイムスロットが部分的にオーバーラップしていることに応答して、周波数内測定と測定ギャップとの間でオーバーラップしたタイムスロットを共有するためにリソース制御情報に基づき端末デバイスの周波数内測定のために第一セットのタイムスロットから１つ以上のスロットを決定することとを含む動作をネットワークデバイスに実行させる。
【０００７】
第四態様では、本開示の実施形態は、ネットワークデバイスを提供する。このネットワークデバイスは、少なくとも１つのプロセッサと、この少なくとも１つのプロセッサに結合されるメモリと、を備え、このメモリは、その中に命令を格納し、これらの命令は、少なくとも１つのプロセッサによって実行されるときに、端末デバイスに、端末デバイスの周波数内測定のために第一セットのタイムスロットを少なくとも示す第一コンフィグレーションを送信することと、端末デバイスに、端末デバイスの測定ギャップのために第二セットのタイムスロットを少なくとも示す第二コンフィグレーションを送信することと、端末デバイスに、周波数内測定と測定ギャップとの間でオーバーラップしたタイムスロットを共有するためにリソース制御情報を送信することと、を含む動作を調停する端末デバイスに実行させる。
【０００８】
第五態様では、本開示の実施形態は、コンピュータ可読媒体を提供する。このコンピュータ可読媒体は、その上に命令を格納し、これらの命令は、マシンの少なくとも１つの処理ユニットによって実行されるときに、ネットワークデバイスから、端末デバイスの周波数内測定のために第一セットのタイムスロットを少なくとも示す第一コンフィグレーションを受信することと、ネットワークデバイスから、端末デバイスの測定ギャップのために第二セットのタイムスロットを少なくとも示す第二コンフィグレーションを受信することと、第一及び第二セットのタイムスロットが部分的にオーバーラップしていることに応答して、周波数内測定と測定ギャップとの間でオーバーラップしたタイムスロットを共有するためにリソース制御情報に基づき端末デバイスの周波数内測定のために第一セットのタイムスロットから１つ以上のスロットを決定することと、をマシンに実施させる。
【０００９】
第六態様では、本開示の実施形態は、さらなるコンピュータ可読媒体を提供する。このさらなるコンピュータ可読媒体は、その上に命令を格納し、これらの命令は、マシンの少なくとも１つの処理ユニットによって実行されるときに、端末デバイスに、端末デバイスの周波数内測定のために第一セットのタイムスロットを少なくとも示す第一コンフィグレーションを送信することと、端末デバイスに、端末デバイスの測定ギャップのために第二セットのタイムスロットを少なくとも示す第二コンフィグレーションを送信することと、端末デバイスに、周波数内測定と測定ギャップとの間でオーバーラップしたタイムスロットを共有するためにリソース制御情報を送信することとをマシンに実施させる。
【００１０】
本開示の実施形態の他の特徴及び利点は、例として本開示の実施形態の原理を示す、添付の図面と併せて読めば、以下の特定の実施形態の説明からも明らかになるであろう。
【００１１】
本開示の実施形態は、例の意味で提示され、それらの利点は、添付の図面を参照して、以下でより詳細に説明される。
【図面の簡単な説明】
【００１２】
【図１】本開示の実施形態による通信システムの概略図を示す。
【図２】周波数内測定と測定ギャップとの間のタイムスロットにおいて完全にオーバーラップする概略図を示す。
【図３】周波数内測定と測定ギャップとの間のタイムスロットにおいてオーバーラップしない概略図を示す。
【図４】本開示の実施形態による周波数内測定と測定ギャップとの間のタイムスロットにおいて部分的にオーバーラップする概略図を示す。
【図５】本開示の実施形態による端末デバイスとネットワークデバイスとの間の相互作用動作を図示する。
【図６】本開示の実施形態による通信のために端末デバイスで実装される方法のフローチャートを示す。
【図７】本開示の実施形態による通信のためにネットワークデバイスで実装される方法のフローチャートを示す。
【図８】本開示の実施形態によるデバイスの概略図を示す。
【発明を実施するための形態】
【００１３】
図全体を通して、同一の、または類似の参照番号は、同一の、または類似の要素を示す。
【００１４】
本明細書に記載される発明の主題は、いくつかの例示的な実施形態を参照して考察される。これらの実施形態は当業者が本明細書に記載される発明の主題をよりよく理解することによって実施することを可能にする目的のために考察されるに過ぎず、発明の主題の範囲にいかなる制限も示唆するものではないことを理解されたい。
【００１５】
本明細書に使用される専門用語は、特定の実施形態のみを説明する目的のためのものであり、例示的な実施形態を制限することは意図されない。本明細書に使用される場合、単数形「ａ」、「ａｎ」及び「ｔｈｅ」は、文脈が別途明らかに示さない限り、複数形も含むことが意図される。「備える（ｃｏｍｐｒｉｓｅｓ）」、「備えている（ｃｏｍｐｒｉｓｉｎｇ）」、「含む（ｉｎｃｌｕｄｅｓ）」及び／または「含んでいる（ｉｎｃｌｕｄｉｎｇ）」という用語が本明細書で使用されているときには、述べられている特徴、完全体、ステップ、操作、要素及び／または構成要素の存在を明示するが、１つ以上のその他の特徴、完全体、ステップ、操作、要素、構成要素及び／またはそれらの群の存在または追加を排除しないことがさらに理解されよう。
【００１６】
また、いくつかの代替実施態様では、言及される機能／動作が図に書き留められる順序とは違う順序で起こり得ることにも留意されたい。例えば、連続して示される２つの機能または動作は、実際に、同時に実行され得る、または時として、伴われる機能／動作に応じて逆の順序で実行され得る。
【００１７】
本明細書に使用される場合、「通信ネットワーク」という用語は、ロングタームエボリューション（ＬＴＥ）、ＬＴＥアドバンスト（ＬＴＥ−Ａ）、広帯域符号分割多元接続（ＷＣＤＭＡ）、高速パケットアクセス（ＨＳＰＡ）などのような、いずれかの適切な通信規格に従うネットワークを指す。さらに、通信ネットワークにおける端末デバイスとネットワークデバイスとの間の通信は、第１世代（１Ｇ）、第２世代（２Ｇ）、２．５Ｇ、２．７５Ｇ、第３世代（３Ｇ）、第４世代（４Ｇ）、４．５Ｇ、将来の第５世代（５Ｇ）通信プロトコル、及び／または現在知られている、または将来開発されるいずれかの任意の他のプロトコルを含むが、これらに限定されない、いずれかの適切な世代の通信プロトコルに従って実行されることができる。
【００１８】
本開示の実施形態は、さまざまな通信システムに適用され得る。通信における急速な発展を考えると、もちろん、本開示を具現化することができる未来型の通信技術及びシステムも存在するであろう。本開示の範囲を前述のシステムのみに限定するものとして見なすべきではない。
【００１９】
「ネットワークデバイス」という用語は、基地局（ＢＳ）、ゲートウェイ、管理エンティティ、及び通信システム内の他の適切なデバイスを含むが、これらに限定されない。「基地局」または「ＢＳ」という用語は、ノードＢ（ＮｏｄｅＢまたはＮＢ）、発展型ＮｏｄｅＢ（ｅＮｏｄｅＢまたはｅＮＢ）、リモート無線ユニット（ＲＲＵ）、無線ヘッダ（ＲＨ）、リモート無線ヘッド（ＲＲＨ）、中継器、低電力ノード（フェムト、ピコなど）、及びその他のものを表す。
【００２０】
「端末デバイス」という用語は、「ユーザ機器（ＵＥ）」及びネットワークデバイスと通信することができる他の適切なエンドデバイスを含むが、これらに限定されない。例として、「端末デバイス」は、端末、モバイル端末（ＭＴ）、加入者局（ＳＳ）、携帯加入者局、移動局（ＭＳ）、またはアクセス端末（ＡＴ）を指すことができる。
【００２１】
本明細書に使用される「周波数内測定」という用語は、ターゲットセルが端末デバイスの現在のサービングセルと同じ周波数にある場合に、ターゲットセルの信号品質を測定することを指す。本明細書に使用される「周波数間測定」という用語は、ターゲットセルが端末デバイスの現在のサービングセルと異なる周波数にある場合に、ターゲットセルの信号品質を測定することを指す。
【００２２】
本明細書に使用される「測定ギャップ」という用語は、その間に送受信が発生しないギャップを指す。ギャップ中に信号の送受信がないため、端末デバイスは、ターゲットセルに切り替え、信号品質測定を実行し、現在のセルに戻ることができる。
【００２３】
上述されるように多くの場合、ターゲットセルのチャネル品質を測定する際に（１）ターゲットセルが現在のサービングセルと同じ周波数である状況、及び（２）ターゲットセルが現在のサービングセルとは異なる周波数である状況という２つの状況がある。上記の２つの状況について、さらに調査が必要である。上記の状況（１）は、周波数内測定を指し、状況（２）は、周波数間測定を指す。
【００２４】
上記で紹介した測定ギャップは、その間に送受信が発生しないギャップである。周波数間測定の状況では、端末デバイスが周波数間測定を実行するために異なる周波数に切り替える必要があることから、測定ギャップを必要とする。周波数内測定の状況では、一部のシナリオで測定ギャップを依然として必要とする場合がある。例えば、周波数内測定の状況でも、サービングセルの同期信号ブロック（ＳＳＢ）が端末ダウンリンク動作帯域幅内に完全にはない場合、端末デバイスを測定される周波数に切り替えることを可能にするために測定ギャップを必要とする。
【００２５】
概して、ネットワークデバイスは、端末デバイスに対して１つの測定パターンのみを通常設定する。時間領域の観点から、イントラ測定を実行するためのタイムスロットは、測定ギャップについてのタイムスロットとオーバーラップする可能性がある。３ＧＰＰ規格３８．１３３は、周波数内測定と周波数間測定との間にギャップ共有メカニズムを導入しており、イントラ測定を実行するためのタイムスロットは、測定ギャップについてのタイムスロットと完全にオーバーラップしている。しかしながら、イントラ測定を実行するためのタイムスロットが測定ギャップのためのタイムスロットと部分的にオーバーラップしている場合に、オーバーラップしたタイムスロットが周波数内と測定ギャップとの間で共有される方法は、議論されていない。
【００２６】
上記の、かつ他の潜在的な問題を少なくとも部分的に解決するために、本開示の実施形態は、新しい無線管理測定についてのサリュテーションを提供する。ここで本開示のいくつかの例示的な実施形態は、図面を参照して以下に説明される。しかしながら、当業者は、本開示がこれらの限定された実施形態を越えて拡張されるので、これらの図に関して本明細書に与えられた詳細な説明が説明目的のためのものであることを容易に理解するであろう。
【００２７】
図１は、本開示の実施形態を実装することができる通信システムの概略図を示す。通信システム１００は、通信ネットワークの一部であり、ネットワークデバイス１２０と、１つ以上の端末デバイス１１０−１及び１１０−２とを含む。通信システム１００が任意の適切な数の端末デバイスを含むことができることを理解されたい。通信システム１００が明確にするために省略されている他の要素をも含むことができることに留意されたい。ネットワークデバイス１２０は、端末デバイス１１０と通信することができる。図１に示されるネットワークデバイス及び端末デバイスの数がいかなる限定をも示唆することなく、例示の目的のために与えられていることを理解されたい。通信システム１００は、任意の適切な数のネットワークデバイス及び端末デバイスを含むことができる。
【００２８】
通信システム１００における通信は、第１世代（１Ｇ）、第２世代（２Ｇ）、第３世代（３Ｇ）、第４世代（４Ｇ）及び第５世代（５Ｇ）などのセルラー通信プロトコル、Ｉｎｓｔｉｔｕｔｅ  ｆｏｒ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ）８０２．１１などのような無線ローカルネットワーク通信プロトコル、及び／または現在知られている、または将来開発されるいずれかの他のプロトコルを含むが、これらに限定されない、いずれかの適切な通信プロトコル（複数可）に従って実行されることができる。さらに、通信は、符号分割多元接続（ＣＤＭＡ）、周波数分割多元接続（ＦＤＭＡ）、時分割多元接続（ＴＤＭＡ）、周波数分割デュプレクサ（ＦＤＤ）、時分割デュプレクサ（ＴＤＤ）、多入力多出力（ＭＩＭＯ）、直交周波数分割多元接続（ＯＦＤＭＡ）及び／または現在知られている、または将来開発されるいずれかの他の技術を含むが、これらに限定されない、いずれかの適切な無線通信技術を利用することができる。
【００２９】
図２は、周波数内測定と測定ギャップとの間のタイムスロットにおいて完全にオーバーラップする概略図を示す。測定のためのタイムスロットセット２１０は、タイムスロット２１０−１、２１０−２、２１０−３、２１０−４、２１０−５及び２１０−６を含むことができる。タイムスロットセット２１０は、任意の適切な数のタイムスロットを含むことができることを理解されたい。周波数内測定のためのタイムスロットセット２２０は、タイムスロット２２０−１、２２０−２、２２０−３、２２０−４、２２０−５及び２２０−６を含むことができる。タイムスロットセット２２０が任意の適切な数のタイムスロットを含むことができることを理解されたい。図２に示されるように、タイムスロットセット２１０は、タイムスロットセット２２０と完全にオーバーラップしている。
【００３０】
上述されるように、３ＧＰＰ規格３８．１３３は、周波数内測定と周波数間測定との間にギャップ共有メカニズムを導入しており、イントラ測定を実行するためのタイムスロットは、測定ギャップについてのタイムスロットと完全にオーバーラップしている。ネットワークデバイスは、無線リソース制御（ＲＲＣ）シグナリングを介してパラメータ「Ｘ」（例えば、ギャップ共有係数）を送信して、周波数内測定と測定ギャップとの間で完全にオーバーラップしたタイムスロットがどのように共有されたかを示すことができる。３ＧＰＰ規格３８．１３３における以下の表１は、パラメータ「Ｘ」を定義する。
【表１】
2021515440.tif 000003
【００３１】
例として、パラメータ「００」がＲＲＣシグナリングを介して送信される場合、完全にオーバーラップしたタイムスロットのＸ１％を周波数内測定に使用する。パラメータ「０１」がＲＲＣシグナリングを介して送信される場合、完全にオーバーラップしたタイムスロットのＸ２％を周波数内測定に使用する。パラメータ「１０」がＲＲＣシグナリングを介して送信される場合、完全にオーバーラップしたタイムスロットのＸ３％を周波数内測定に使用する。パラメータ「１１」がＲＲＣシグナリングを介して送信される場合、完全にオーバーラップしたタイムスロットのＸ４％を周波数内測定に使用する。このシナリオでは、３ＧＰＰ規格３８．１３３のセクション９．２で定義されている周波数内のパフォーマンスは、Ｋｉｎｔｒａ＝１／Ｘ＊１００でスケーリングされ、３ＧＰＰ規格３８．１３３のセクション９．２で定義されている周波数間のパフォーマンスは、Ｋｉｎｔｅｒ＝１／（１００−Ｘ）＊１００でスケーリングされる。
【００３２】
図３は、周波数内測定と測定ギャップとの間のタイムスロットにおいてオーバーラップしない概略図を示す。測定ギャップのためのタイムスロットセット３１０は、タイムスロット３１０−１、３１０−２、３１０−３、３１０−４、３１０−５及び３１０−６を含むことができる。タイムスロットセット３１０が任意の適切な数のタイムスロットを含むことができることを理解されたい。周波数内測定についてのタイムスロットセット３２０は、タイムスロット３２０−１、３２０−２、３２０−３、３２０−４、３２０−５及び３２０−６を含むことができる。タイムスロットセット３２０が任意の適切な数のタイムスロットを含むことができることを理解されたい。図３に示されるように、タイムスロットセット３１０は、タイムスロットセット３２０とオーバーラップしていない。このような状況では、周波数内測定と測定ギャップとの間でタイムスロットを共有する必要がない。シグナリングのオーバーヘッドが原因で、ネットワークは、周波数内測定と測定ギャップとの間のタイムスロットでオーバーラップしないように設定する可能性が低い場合がある。
【００３３】
図４は、本開示の実施形態による周波数内測定と測定ギャップとの間のタイムスロットにおいて部分的にオーバーラップする概略図を示す。図５は、本開示の実施形態による端末デバイス１１０とネットワークデバイス１２０との間での動作５００の例示的な相互作用図を示す。相互作用動作５００は、以下の図４を参照して説明される。
【００３４】
いくつかの実施形態では、端末デバイス１１０は、ハンドオーバーのためにターゲットセルのチャネル品質を測定することができる。端末デバイス１１０は、ターゲットセルのチャネル品質の情報を取得するために参照信号強度を測定することができる。例えば、端末デバイス１１０は、参照信号受信電力（ＲＳＲＰ）に基づきハンドオーバーのためにターゲットセルのチャネル品質を取得することができる。前述のように、２つのタイプの測定、すなわち、周波数内測定及び周波数間測定がある。周波数間測定の状況では、端末デバイスが周波数間測定を実行するために異なる周波数に切り替える必要があることから、測定ギャップを必要とする。周波数内測定の状況では、一部のシナリオで測定ギャップを依然として必要とする場合がある。
【００３５】
ネットワークデバイス１２０は、５１０で、周波数内測定のためのコンフィグレーション（「第一コンフィグレーション」と称される）を端末デバイス１１０に送信する。例示的な実施形態では、第一コンフィグレーションは、ＲＲＣシグナリングを介して送信されることができる。例として、ネットワークデバイス１２０は、周波数内測定のために、ＳＳブロックベースのＲＲＭ測定タイミングコンフィグレーション（ＳＭＴＣ）を端末デバイス１１０に送信することができる。いくつかの実施形態では、第一コンフィグレーションは、周波数内測定のために測定ウィンドウの情報を含むことができる。例示的な実施形態では、第一コンフィグレーションは、測定ウィンドウの持続時間を示すことができる。例えば、第一コンフィグレーションは、１つの測定ウィンドウの持続時間が５ｍｓであることを示すことができる。１つの測定ウィンドウの持続時間が任意の適切な値であることができることを理解されたい。追加的に、または代替的に、第一コンフィグレーションは、測定ウィンドウの周期性を含むことができる。すなわち、第一コンフィグレーションは、測定ウィンドウが繰り返される必要がある期間を示すことができる。
【００３６】
いくつかの実施形態では、第一コンフィグレーションは、周波数内測定のためにサービングセルのタイムスロット中に測定されたウィンドウの開始位置をも示すことができる。例えば、どのセルも独自のクロックを含むことから、第一コンフィグレーションは、最初の測定されたウィンドウが開始するタイムスロットを示すことができる。例として、第一コンフィグレーションは、測定ウィンドウが１００番目のタイムスロットから開始することを示すことができる。第一コンフィグレーションは、１セットのタイムスロット４２０（「第一セットのタイムスロット」と称される）が周波数内測定を実行するために使用されることを示す。
【００３７】
さらなる実施形態では、端末デバイス１１０は、測定ウィンドウの情報に基づき第一セットのタイムスロット４２０を決定することができる。例えば、測定ウィンドウの情報は、１つの測定ウィンドウの持続時間が５ｍｓであり、測定ウィンドウが４０ｍｓ毎に繰り返されることができることを含む場合がある。測定ウィンドウの情報は、測定ウィンドウが１００番目のタイムスロットから開始することも含むことができる。この例では、端末デバイス１１０は、タイムスロット４２０−１、４２０−２、４２０−３、４２０−４、４２０−５、４２０−６及び４２０−７を第一セットのタイムスロット４２０として決定することができる。第一セットのタイムスロット４２０が任意の適切な数のタイムスロットを含むことができることを理解されたい。タイムスロット４２０−１、４２０−２、４２０−３、４２０−４、４２０−５、４２０−６及び４２０−７のそれぞれは、５ｍｓの持続時間を有し、それらの任意の隣接する２つの間の時間間隔は、４０ｍｓである。
【００３８】
いくつかの実施形態では、ネットワークデバイス１２０は、周波数間測定のためにコンフィグレーションを送信することもできる。例として、ネットワークデバイス１２０は、ＲＲＣシグナリングを介する周波数間測定のために、ＳＳブロックベースのＲＲＭ測定タイミングコンフィグレーション（ＳＭＴＣ）を端末デバイス１１０に送信することができる。いくつかの実施形態では、このコンフィグレーションは、インター測定のために測定ウィンドウの情報を含むことができる。例示的な実施形態では、このコンフィグレーションは、測定ウィンドウの持続時間を示すことができる。例えば、このコンフィグレーションは、１つの測定ウィンドウの持続時間が４０ｍｓであることを示すことができる。１つの測定ウィンドウの持続時間が任意の適切な値であり得ることを理解されたい。追加的に、または代替的に、このコンフィグレーションは、測定ウィンドウの周期性を含むことができる。すなわち、このコンフィグレーションは、測定ウィンドウが繰り返されるべき期間を示すことができる。いくつかの実施形態では、このコンフィグレーションは、周波数間測定のためにサービングセルのタイムスロット中に測定されたウィンドウの開始位置をも示すことができる。
【００３９】
ネットワークデバイス１２０は、５２０で、測定ギャップのためのコンフィグレーション（「第二コンフィグレーション」と称される）を端末デバイス１１０に送信する。例示的な実施形態では、第二コンフィグレーションは、ＲＲＣシグナリングを介して送信されることができる。例として、第二コンフィグレーションは、測定ギャップの持続時間を示すことができる。例えば、第二コンフィグレーションは、１つの測定ギャップの持続時間が４０ｍｓまたは８０ｍｓであることを示すことができる。１つの測定ギャップの持続時間が任意の適切な値であり得ることを理解されたい。追加的に、または代替的に、第二コンフィグレーションは、測定ギャップの周期性を含むことができる。すなわち、第二コンフィグレーションは、測定ギャップが繰り返されるべき期間を示すことができる。
【００４０】
いくつかの実施形態では、第二コンフィグレーションは、サービングセルのタイムスロット中に測定ギャップの開始位置をも示すことができる。例えば、どのセルも独自のクロックを含むことから、第二コンフィグレーションは、第一測定ギャップが開始するタイムスロットを示すことができる。
【００４１】
さらなる実施形態では、端末デバイス１１０は、測定ギャップのための第二コンフィグレーションに基づき第二セットのタイムスロット４１０を決定することができる。例えば、第二コンフィグレーションは、１つの測定ギャップの持続時間が６ｍｓであり、測定ギャップが８０ｍｓ毎に繰り返されることができることを含む場合がある。第二コンフィグレーションは、第一測定ギャップが１００番目のタイムスロットから開始することをも含むことができる。この例では、端末デバイス１１０は、タイムスロット４１０−１、４１０−２、４１０−３及び４１０−４を第二セットのタイムスロット４１０として決定することができる。第二セットのタイムスロット４１０が任意の適切な数のタイムスロットを含むことができることを理解されたい。タイムスロット４１０−１、４１０−２、４１０−３及び４１０−４のそれぞれは、６ｍｓの持続時間を有し、それらの任意の隣接する２つの間の時間間隔は、８０ｍｓである。
【００４２】
ネットワークデバイス１２０は、５３０で、周波数内測定と測定ギャップとの間でオーバーラップしたタイムスロットを共有するためにリソース制御情報を送信する。いくつかの実施形態では、リソース制御情報は、第一コンフィグレーションまたは第二コンフィグレーションと合わせて送信されることができる。他の実施形態では、リソース制御情報は、ＲＲＣシグナリングで定義される新しいシグナリングとして送信されてもよい。
【００４３】
いくつかの実施形態では、リソース制御情報は、オーバーラップしたタイムスロットを共有するためのパラメータを含むことができる。例示的な実施形態では、リソース制御情報は、表１に示されるパラメータ「Ｘ」（例えば、ギャップ共有係数）を含むことができる。あるいは、リソース制御情報は、新しいシグナリングで定義され、上記のパラメータ「Ｘ」とは異なる別のパラメータを含むことができる。
【００４４】
他の実施形態では、リソース制御情報は、端末デバイス１１０のビヘイビアに影響する可能性がある他の情報を含むことができる。例えば、リソース制御情報は、周波数内測定が実行される頻度数を含むことができる。リソース制御情報は、周波数間測定が実行される頻度数をも含むことができる。あるいは、リソース制御情報は、第一セットのタイムスロット４２０と第二セットのタイムスロット４１０との間のオーバーラップ率を含むことができる。さらなる例では、リソース制御情報は、周波数内測定がデータスケジューリングを中断せずに実行されるかどうかについての情報を含むことができる。上述のように、周波数内測定は、状況によっては測定ギャップをも必要とする。例えば、高周波数帯での周波数内測定は、サービングセルでのデータスケジューリングの中断につながる可能性がある。そのような状況では、端末デバイス１１０は、測定ギャップとオーバーラップするタイムスロット中に周波数内測定を実行することができる。このようにして、端末デバイス１１０は、周波数内測定のために測定ギャップとオーバーラップしないタイムスロットを使用しないことから、それらのタイムスロットは、依然としてデータスケジューリングに使用されることができることにより、全体的な中断は、減少する。
【００４５】
端末デバイス１１０は、５４０で、第一セットのタイムスロット４２０及び第二セットのタイムスロット４１０が部分的にオーバーラップしているかどうかを判定する。例として、端末デバイス１１０は、タイムスロット４１０−１及び４２０−１、タイムスロット４１０−２及び４２０−３、タイムスロット４１０−３及び４２０−５、ならびにタイムスロット４１０−４及び４２０−７がオーバーラップしていると決定することができる。
【００４６】
端末デバイス１１０は、５５０で、リソース制御情報に基づき周波数内測定のために１つ以上のタイムスロットを決定する。このようにして、周波数内測定及び周波数間測定の優先順位は、ネットワークデバイスによって制御されることができる。また、ネットワークデバイスは、端末デバイスのビヘイビア、及びこれらのビヘイビアに関連する予期された測定パフォーマンスを認識することができる。
【００４７】
いくつかの実施形態では、端末デバイス１１０は、オーバーラップしたタイムスロットを共有するためにパラメータを決定することができる。例として、端末デバイス１１０は、リソース制御情報から特定のパラメータを抽出することができる。上記のように、例示的な実施形態では、リソース制御情報は、３ＧＰＰ規格３８．１３３で導入されるような、パラメータ「Ｘ」（例えば、ギャップ共有係数）を含むことができる。例えば、パラメータ「Ｘ」（ギャップ共有係数）の値が５０％である場合に、端末デバイス１１０は、オーバーラップしたタイムスロットの５０％を周波数内測定に使用すると決定することができる。この例では、端末デバイス１１０は、周波数内測定のためにタイムスロット４２０−２、４２０−３、４２０−４、４２０−６及び４２０−７を決定することができる。この状況では、周波数内測定要件は、１／（Ｙ＋Ｚ＊（１−Ｙ））の係数でスケーリングされ、式中、Ｚは周波数内測定と周波数間測定との間のギャップ共有係数であり、Ｙは測定ギャップについてのタイムスロットとオーバーラップしない周波数内についてのタイムスロットの割合である。
【００４８】
さらなる実施形態では、リソース制御情報は、パラメータ「Ｘ」を含まなくてもよい。端末デバイス１１０は、周波数内についての第二セットのタイムスロット４１０とオーバーラップしない第一セットのタイムスロット４２０内にのみタイムスロットを使用することができる。例えば、端末デバイスは、周波数内測定のためにタイムスロット４２０−２、４２０−４及び４２０−６を決定することができる。この状況では、周波数内測定要件は、１／Ｙの係数でスケーリングされ、式中、Ｙは測定ギャップについてのタイムスロットとオーバーラップしない周波数内についてのタイムスロットの割合である。
【００４９】
あるいは、リソース制御情報は、オーバーラップしたタイムスロットを共有するために新しいシグナリングで定義される別のパラメータを含むことができる。例えば、リソース制御情報は、オーバーラップしたタイムスロットのいずれも周波数内測定に使用されないことを示すパラメータを含むことができる。他の実施形態では、リソース制御情報は、オーバーラップしたタイムスロットのある特定の割合が周波数内測定に使用されることを示すパラメータを含むことができる。
【００５０】
いくつかの実施形態では、端末デバイス１１０は、リソース制御情報に含まれる情報に基づき周波数内測定のために、オーバーラップしたタイムスロットを共有するためのパラメータを決定することができる。例として、リソース制御情報は、周波数内測定が実行される頻度数、及び周波数間測定が実行される頻度数を含むことができる。端末デバイス１１０は、上記の頻度数に基づき周波数内測定に使用されるオーバーラップしたタイムスロットの割合を示すパラメータを決定することができる。周波数内測定が実行される頻度数が、周波数間測定が実行される頻度数よりも少ない場合に、端末デバイス１１０は、周波数内測定についてオーバーラップしたタイムスロットの割合が測定ギャップについてオーバーラップしたタイムスロットの割合よりも低いと決定することができる。
【００５１】
別の実施形態では、リソース制御情報は、第一セットのタイムスロット４２０と第二セットのタイムスロット４１０との間のオーバーラップ率を含むことができる。端末デバイス１１０は、オーバーラップ率に基づき周波数内測定に使用されるオーバーラップしたタイムスロットの割合を示すパラメータを決定することができる。オーバーラップ率が所定の閾値よりも小さい場合に、端末デバイス１１０は、周波数内測定についてオーバーラップしたタイムスロットの割合が測定ギャップについてオーバーラップしたタイムスロットの割合よりも低いと決定することができる。
【００５２】
さらなる例では、リソース制御情報は、周波数内測定がデータスケジューリングを中断せずに実行されるかどうかについての情報を含むことができる。上述のように、周波数内測定は、状況によっては測定ギャップをも必要とする。例えば、高周波数帯での周波数内測定は、サービングセルでのデータスケジューリングの中断につながる可能性がある。そのような状況では、端末デバイス１１０は、この情報に基づきオーバーラップしたタイムスロットを周波数内測定に使用すると決定することができる。このようにして、端末デバイス１１０は、周波数内測定のために測定ギャップとオーバーラップしないタイムスロットを使用しないことから、それらのタイムスロットは、依然としてデータスケジューリングに使用されることができることにより、全体的な中断は、減少する。
【００５３】
図６は、本開示の一例による方法６００のフローチャートを示す。方法６００は、端末デバイス１１０に実装されることができる。
【００５４】
ブロック６１０において、端末デバイス１１０は、ネットワークデバイス１２０から端末デバイス１１０の周波数内測定のために第一コンフィグレーションを受信する。第一コンフィグレーションは、周波数内測定のために第一セットのタイムスロット４２０を示す。例示的な実施形態では、第一コンフィグレーションは、ＲＲＣシグナリングを介して受信されることができる。
【００５５】
いくつかの実施形態では、第一コンフィグレーションは、周波数内測定のために測定ウィンドウの情報を含むことができる。例示的な実施形態では、第一コンフィグレーションは、測定ウィンドウの持続時間を示すことができる。追加的に、または代替的に、第一コンフィグレーションは、測定ウィンドウの周期性を含むことができる。すなわち、第一コンフィグレーションは、測定ウィンドウが繰り返されるべき期間を示すことができる。いくつかの実施形態では、第一コンフィグレーションは、周波数内測定のためにサービングセルのタイムスロット中に測定されたウィンドウの開始位置をも示すことができる。
【００５６】
ブロック６２０において、端末デバイス１１０は、ネットワークデバイス１２０から端末デバイス１１０の測定ギャップのために第二コンフィグレーションを受信する。第二コンフィグレーションは、測定ギャップのために第二セットのタイムスロット４１０を示す。例示的な実施形態では、第二コンフィグレーションは、ＲＲＣシグナリングを介して送信されることができる。
【００５７】
例として、第二コンフィグレーションは、測定ギャップの持続時間を示すことができる。追加的に、または代替的に、第二コンフィグレーションは、測定ギャップの周期性を含むことができる。すなわち、第二コンフィグレーションは、測定ギャップが繰り返されるべき期間を示すことができる。いくつかの実施形態では、第二コンフィグレーションは、サービングセルのタイムスロット中に測定ギャップの開始位置をも示すことができる。
【００５８】
ブロック６３０において、端末デバイス１１０は、第一セットのタイムスロット４２０及び第二セットのタイムスロット４１０が部分的にオーバーラップしているかどうかを判定する。第一セットのタイムスロット４２０及び第二セットのタイムスロット４１０が部分的にオーバーラップする場合、ブロック６４０で、端末デバイス１１０は、リソース制御情報に基づき端末デバイス１１０の周波数内測定のために第一セットのタイムスロット４２０から１つ以上のスロットを決定する。いくつかの実施形態では、端末デバイス１１０は、リソース制御情報に基づきオーバーラップしたタイムスロットを共有するためにパラメータを決定することができる。端末デバイス１１０は、このパラメータに基づき１つ以上のタイムスロットを決定することができる。
【００５９】
いくつかの実施形態では、リソース制御情報は、第一コンフィグレーションまたは第二コンフィグレーションと合わせて送信されることができる。他の実施形態では、リソース制御情報は、ＲＲＣシグナリングで定義される新しいシグナリングとして送信されてもよい。
【００６０】
いくつかの実施形態では、リソース制御情報は、オーバーラップしたタイムスロットを共有するためのパラメータを含むことができる。例示的な実施形態では、リソース制御情報は、３ＧＰＰ規格３８．１３３で導入されるような、パラメータ「Ｘ」（例えば、ギャップ共有係数）を含むことができる。あるいは、リソース制御情報は、新しいシグナリングで定義され、上記のパラメータ「Ｘ」とは異なる別のパラメータを含むことができる。
【００６１】
他の実施形態では、リソース制御情報は、端末デバイス１１０のビヘイビアに影響する可能性がある他の情報を含むことができる。例えば、リソース制御情報は、周波数内測定が実行される頻度数を含むことができる。リソース制御情報は、周波数間測定が実行される頻度数をも含むことができる。あるいは、リソース制御情報は、第一セットのタイムスロット４２０と第二セットのタイムスロット４１０との間のオーバーラップ率を含むことができる。他の例では、リソース制御情報は、周波数内測定がデータスケジューリングを中断せずに実行されるかどうかについての情報を含むことができる。
【００６２】
図７は、本開示の一例による方法７００のフローチャートを示す。方法７００は、ネットワークデバイス１２０に実装されることができる。
【００６３】
ブロック７１０において、ネットワークデバイス１２０は、端末デバイス１１０に端末デバイス１１０の周波数内測定のために第一コンフィグレーションを送信する。第一コンフィグレーションは、周波数内測定のために第一セットのタイムスロット４２０を示す。例示的な実施形態では、第一コンフィグレーションは、ＲＲＣシグナリングを介して受信されることができる。
【００６４】
いくつかの実施形態では、第一コンフィグレーションは、周波数内測定のために測定ウィンドウの情報を含むことができる。例示的な実施形態では、第一コンフィグレーションは、測定ウィンドウの持続時間を示すことができる。追加的に、または代替的に、第一コンフィグレーションは、測定ウィンドウの周期性を含むことができる。すなわち、第一コンフィグレーションは、測定ウィンドウが繰り返されるべき期間を示すことができる。いくつかの実施形態では、第一コンフィグレーションは、周波数内測定のためにサービングセルのタイムスロット中に測定されたウィンドウの開始位置をも示すことができる。
【００６５】
ブロック７２０において、ネットワークデバイス１２０は、端末デバイス１１０に端末デバイス１１０の測定ギャップのために第二コンフィグレーションを送信する。第二コンフィグレーションは、測定ギャップのために第二セットのタイムスロット４１０を示す。例示的な実施形態では、第二コンフィグレーションは、ＲＲＣシグナリングを介して送信されることができる。
【００６６】
例として、第二コンフィグレーションは、測定ギャップの持続時間を示すことができる。追加的に、または代替的に、第二コンフィグレーションは、測定ギャップの周期性を含むことができる。すなわち、第二コンフィグレーションは、測定ギャップが繰り返されるべき期間を示すことができる。いくつかの実施形態では、第二コンフィグレーションは、サービングセルのタイムスロット中に測定ギャップの開始位置をも示すことができる。
【００６７】
ブロック７３０において、ネットワークデバイス１２０は、周波数内測定と測定ギャップとの間でオーバーラップしたタイムスロットを共有するためにリソース制御情報を端末デバイス１１０に送信する。いくつかの実施形態では、リソース制御情報は、第一コンフィグレーションまたは第二コンフィグレーションと合わせて送信されることができる。他の実施形態では、リソース制御情報は、ＲＲＣシグナリングで定義される新しいシグナリングとして送信されてもよい。
【００６８】
いくつかの実施形態では、リソース制御情報は、オーバーラップしたタイムスロットを共有するためのパラメータを含むことができる。例示的な実施形態では、リソース制御情報は、３ＧＰＰ規格３８．１３３で導入されるような、パラメータ「Ｘ」（例えば、ギャップ共有係数）を含むことができる。あるいは、リソース制御情報は、新しいシグナリングで定義され、上記のパラメータ「Ｘ」とは異なる別のパラメータを含むことができる。
【００６９】
他の実施形態では、リソース制御情報は、端末デバイス１１０のビヘイビアに影響する可能性がある他の情報を含むことができる。例えば、リソース制御情報は、周波数内測定が実行される頻度数を含むことができる。リソース制御情報は、周波数間測定が実行される頻度数をも含むことができる。あるいは、リソース制御情報は、第一セットのタイムスロット４２０と第二セットのタイムスロット４１０との間のオーバーラップ率を含むことができる。他の例では、リソース制御情報は、周波数内測定がデータスケジューリングを中断せずに実行されるかどうかについての情報を含むことができる。
【００７０】
図８は、本開示の実施形態を実装するのに適しているデバイス８００の簡略化されたブロック図である。デバイス８００は、ネットワークデバイス１２０に実装されることができる。デバイス８００は、端末デバイス１１０にも実装されることができる。示されるように、デバイス８００は、１つ以上のプロセッサ８１０、プロセッサ（複数可）８１０に結合される１つ以上のメモリ８２０、プロセッサ８１０に結合される１つ以上の送信器及び／または受信器（ＴＸ／ＲＸ）８４０を含む。
【００７１】
プロセッサ８１０は、ローカルテクニカルネットワークに適している任意のタイプのものであることができ、非限定的な例として、汎用コンピュータ、専用コンピュータ、マイクロプロセッサ、デジタル信号プロセッサ（ＤＳＰ）、及びマルチコアプロセッサアーキテクチャに基づくプロセッサのうちの１つ以上を含むことができる。デバイス８００は、メインプロセッサを同期させるクロックに時間内にスレーブ接続される特定用途向け集積回路チップなどの複数のプロセッサを含むことができる。
【００７２】
メモリ８２０は、ローカルテクニカルネットワークに適している任意のタイプのものであることができ、非限定的な例として、非一時的コンピュータ可読記憶媒体、半導体ベースのメモリデバイス、磁気メモリデバイス及びシステム、光メモリデバイス及びシステム、固定メモリ及びリムーバブルメモリなどの任意の適切なデータストレージ技術を使用して実装されることができる。
【００７３】
メモリ８２０は、プログラム８３０の少なくとも一部を格納する。ＴＸ／ＲＸ８４０は、双方向通信用のものである。ＴＸ／ＲＸ８４０は、通信を容易にするために少なくとも１つのアンテナを含むが、実際には、本出願に言及されているアクセスノードは、複数のアンテナを含む場合がある。通信インタフェースは、他のネットワークエレメントとの通信に必要である任意のインタフェースを表すことができる。
【００７４】
プログラム８３０は、関連したプロセッサ８１０によって実行されるときに、デバイス８００が図４から７を参照して本明細書に考察されるような、本開示の実施形態に従って動作することを可能にするプログラム命令を含むと仮定される。すなわち、本開示の実施形態は、デバイス８００のプロセッサ８１０で実行可能なコンピュータソフトウェアによって、またはハードウェアによって、またはソフトウェア及びハードウェアの組み合わせによって実装されることができる。
【００７５】
本明細書は、多くの具体的な実装の詳細を含むが、これらは、いずれかの開示の範囲、または請求される可能性があるものの範囲に対する制限として解釈されるべきではないが、むしろ特定の開示の特定の実施形態に特有であることができる特徴の説明として解釈されるべきである。別個の実施形態の文脈で本明細書に記載されている、ある特定の特徴は、単一の実施形態に組み合わせて実装されることもできる。逆に、単一の実施形態の文脈に記載されているさまざまな特徴は、複数の実施形態に別々に、または任意の適切なサブコンビネーションに実装されることもできる。さらに、特徴は、ある特定の組み合わせで動作するものとして上記で説明され、そのようなものとして最初に請求されている場合でも、請求された組み合わせからの１つ以上の特徴は、場合によってはその組み合わせから削除されることができ、請求された組み合わせは、サブコンビネーション、またはサブコンビネーションの変形形態を対象とする場合がある。
【００７６】
同様に、動作は、特定の順序で図面に示されているが、これは、望ましい結果を達成するために、それらのような動作を示される特定の順序で、もしくは順次実行すること、またはすべての図示された動作を実行することを必要とすると理解されるべきではない。ある特定の状況では、マルチタスク及び並列処理は、有利である場合がある。さらに、上述の実施形態におけるさまざまなシステムコンポーネントの分離は、すべての実施形態においてそのような分離を必要とすると理解されるべきではなく、一般に説明されたプログラムコンポーネント及びシステムが単一のソフトウェア製品に一体化される、または複数のソフトウェア製品にパッケージ化されることができることを理解されたい。
【００７７】
本開示の前述の例示的な実施形態へのさまざまな変更、適応は、添付の図面と併せて読まれるとき、前述の説明を考慮して当業者に明らかになることができる。あらゆる変更は、依然として、本開示の非限定的かつ例示的な実施形態の範囲内にある。さらに、本明細書に記載される本開示の他の実施形態は、前述の説明及び関連した図面に提示される教示という利益を得る、本開示のこれらの実施形態が関係する当業者に想起されるであろう。
【００７８】
したがって、本開示の実施形態が開示された特定の実施形態に限定されるべきではなく、変更及び他の実施形態が添付の特許請求の範囲内に含まれることが意図されていることを理解されたい。本明細書では特定の用語が使用されているが、それらは一般的かつ説明的な意味でのみ使用されており、限定の目的では使用されていない。
【図１】
2021515440.tif 000004
【図２】
2021515440.tif 000005
【図３】
2021515440.tif 000006
【図４】
2021515440.tif 000007
【図５】
2021515440.tif 000008
【図６】
2021515440.tif 000009
【図７】
2021515440.tif 000010
【図８】
2021515440.tif 000011
【手続補正書】
【提出日】令和2年9月4日(2020.9.4)
【手続補正１】
【補正対象書類名】特許請求の範囲
【補正対象項目名】全文
【補正方法】変更
【補正の内容】
【特許請求の範囲】
【請求項１】
端末デバイスであって、
少なくとも１つのプロセッサと、
前記少なくとも１つのプロセッサに結合されるメモリであって、前記メモリがその中に命令を格納し、前記命令は、前記少なくとも１つのプロセッサによって実行されるときに、前記端末デバイスに少なくとも、
ネットワークデバイスから、周波数内測定のために少なくとも第一セットのタイムスロットを示す第一コンフィグレーションを受信し、
前記ネットワークデバイスから、測定ギャップのために少なくとも第二セットのタイムスロットを示す第二コンフィグレーションを受信し、
前記第一セットのタイムスロット及び前記第二セットのタイムスロットが部分的にオーバーラップしていることに応答して、前記周波数内測定のために前記第二セットのタイムスロット中のいかなるタイムスロットにもオーバーラップしない、前記第一セットのタイムスロット中の１つ以上のタイムスロットを使用する
ようにさせる、メモリと、
を備える、端末デバイス。
【請求項２】
前記第一コンフィグレーションは、
測定ウィンドウの持続時間と、
前記測定ウィンドウの周期性と、
タイムスロット中の前記測定ウィンドウの開始位置と、
のうちの少なくとも１つを示す、請求項１に記載の端末デバイス。
【請求項３】
前記第二コンフィグレーションは、
前記測定ギャップの持続時間と、
前記測定ギャップの周期性と、
タイムスロット中の前記測定ギャップの開始位置と、
のうちの少なくとも１つを示す、請求項１に記載の端末デバイス。
【請求項４】
前記第一コンフィグレーションは、無線リソース制御（ＲＲＣ）シグナリングを介して受信される、請求項１に記載の端末デバイス。
【請求項５】
前記第二コンフィグレーションは、無線リソース制御（ＲＲＣ）シグナリングを介して受信される、請求項１に記載の端末デバイス。
【請求項６】
前記端末デバイスはさらに、
前記周波数内測定のために前記ネットワークデバイスからシグナリングされるリソース制御情報に基づき前記１つ以上のタイムスロットを決定する
ようにされる、請求項１に記載の端末デバイス。
【請求項７】
前記端末デバイスはさらに、
前記第一コンフィグレーションまたは前記第二コンフィグレーションと共に前記リソース制御情報を受信する
ようにされる、請求項６に記載の端末デバイス。
【請求項８】
通信用の端末デバイスで実施される方法であって、
ネットワークデバイスから、周波数内測定のために少なくとも第一セットのタイムスロットを示す第一コンフィグレーションを受信することと、
前記ネットワークデバイスから、測定ギャップのために少なくとも第二セットのタイムスロットを示す第二コンフィグレーションを受信することと、
前記第一セットのタイムスロット及び前記第二セットのタイムスロットが部分的にオーバーラップしていることに応答して、前記周波数内測定のために前記第二セットのタイムスロット中のいかなるタイムスロットにもオーバーラップしない、前記第一セットのタイムスロット中の１つ以上のタイムスロットを使用することと、
を備える、方法。
【請求項９】
前記第一コンフィグレーションは、
測定ウィンドウの持続時間と、
前記測定ウィンドウの周期性と、
タイムスロット中の前記測定ウィンドウの開始位置と、
のうちの少なくとも１つを示す、請求項８に記載の方法。
【請求項１０】
前記第二コンフィグレーションは、
前記測定ギャップの持続時間と、
前記測定ギャップの周期性と、
タイムスロット中の前記測定ギャップの開始位置と、
のうちの少なくとも１つを示す、請求項８に記載の方法。
【請求項１１】
前記第一コンフィグレーションは、無線リソース制御（ＲＲＣ）シグナリングを介して受信される、請求項８に記載の方法。
【請求項１２】
前記第二コンフィグレーションは、無線リソース制御（ＲＲＣ）シグナリングを介して受信される、請求項８に記載の方法。
【請求項１３】
前記周波数内測定のために前記ネットワークデバイスからシグナリングされるリソース制御情報に基づき前記１つ以上のタイムスロットを決定すること
をさらに備える、請求項８に記載の方法。
【請求項１４】
前記第一コンフィグレーションまたは前記第二コンフィグレーションと合わせて前記リソース制御情報を受信すること
をさらに備える、請求項１３に記載の方法。
【請求項１５】
その上に命令を格納するコンピュータ可読媒体であって、前記命令は、コンピュータの少なくとも１つの処理ユニットによって実行されるときに、前記コンピュータに請求項８〜１４のいずれか１項に記載の方法を実行させる、コンピュータ可読媒体。
【国際調査報告】
2021515440.tif 000012
2021515440.tif 000013